(57)【要約】      （修正有）【課題】上下に伸縮調整できるラック構造を提供する。【解決手段】上下に伸縮調整できるラック構造は、主に、フレーム体１０と外カバー２０からなる。フレーム体は主に四つの直立した伸縮棒１１内に若干の仕切り１２と上フレーム１３を設置してなる。外カバーは上下裁断式でフレーム体に設置される。これにより、ラックは上下空間調節が可能で、傾倒を防止する目的も達成される。【選択図】図２
0003134228.tif 000002
【実用新案登録請求の範囲】
【請求項１】
上下伸縮調整可能なラック構造であって、フレーム体とカバーユニットからなり、前記フレーム体は主に、四つの直立した伸縮棒内に若干の仕切りと上フレームを設置してなり、前記伸縮棒両端は抵承する抵止素子を有して抵承し、前記仕切りは四角隅にスリーブ座を有し、直立した前記伸縮棒に定位し、前記上フレームは角辺に形成された四角座により、前記伸縮棒の内管上に設置され、前記カバーユニットは上下裁断式で前記フレーム体に設置され、上カバー、上幕、下カバー、及び、下幕からなり、前記上カバーは前側と底端が開口辺を形成し、前側の開口周辺に両側と上端が内に折出する辺カバーを有し、前記上カバーの頂部四角端は開孔を有し、前記上カバー内側の四角箇所に若干の紐と面ファスナーループを有し、前記上幕は前記上カバー前側の開口辺に対応して組成し、頂端は若干のフック帯を有して、前記フレーム体の上フレームの前横棒上に組掛され、側辺上に若干の紐を有し、紐の対辺内縁下方も面ファスナーループを有し、前記下カバーは前記フレーム体の下方位置を包覆し、前端両端は辺カバーを有する開放辺で、且つ、前記下カバーが形成する四角辺内側上下位置に紐を有し、また、四角辺の上端に面ファスナーフックを有し、前記上カバーの相対位置の面ファスナーループが相互に粘合し、前記下幕は前記下カバー前側の開放辺と対応してなり、一側辺上にも若干の紐を有して対応辺上の伸縮棒と結固し、また、紐の対辺上端内縁は面ファスナーフックを有し、前記上幕の相対位置の面ファスナーループと相互粘合することを特徴とする上下伸縮調整可能なラック構造。
【請求項２】
前記伸縮棒の外管上は等間隔の環状スロットを有することを特徴とする請求項１に記載の上下伸縮調整可能なラック構造。
【請求項３】
前記一仕切りは上端の仕切りの底端に位置し、フック棒を設置することを特徴とする請求項１に記載の上下伸縮調整可能なラック構造。
【請求項４】
前記上フレームの四角辺箇所のスリーブ座と前記伸縮棒の内管は適当な緊密度で結合することを特徴とする請求項１に記載の上下伸縮調整可能なラック構造。
【請求項５】
前記上カバーの四角辺箇所の面ファスナーループは適当な長さの長方形で、前記上カバーの下縁辺に固定されることを特徴とする請求項１に記載の上下伸縮調整可能なラック構造。
【考案の詳細な説明】
【技術分野】
【０００１】
本考案は上下に伸縮調整できるラック構造に関し、特に、裁断式の外カバーを上下伸縮調整可能なフレーム体に設置したラック構造に関する。
【背景技術】
【０００２】
一般の組み合わせ式ラックの形態は大同小異で、固定式フレームにカバーを包覆したものや、左右伸縮功能を有するものもあり、この設計ではカバーも伸縮できるように設計しなければならない。部屋の大きさが小さい場合、左右に伸縮できるラックは却って空間を更に狭くし、且つ、この種のラックは完全に固定できるわけではないので、傾倒する危険がある。
【考案の開示】
【考案が解決しようとする課題】
【０００３】
本考案は、上下に伸縮調整でき、また、傾倒を防止するラック構造を提供することを目的とする。
【課題を解決するための手段】
【０００４】
本考案の構造は、主に、フレーム体と外カバーからなる。フレーム体は主に四つの直立した伸縮棒内に若干の仕切りと上フレームを設置してなる。外カバーは上下裁断式でフレーム体に設置される。これにより、ラックは上下空間調節が可能で、傾倒を防止する。
【考案の効果】
【０００５】
本考案のラック構造により、上下に伸縮調整でき、また、傾倒を防止することができる。
【考案を実施するための最良の形態】
【０００６】
図１、図２で示されるように、本考案の構造はフレーム体１０とカバーユニット２０からなる。
【０００７】
フレーム体１０は主に、四つの直立した伸縮棒１１内に若干の仕切り１２と上フレーム１３を設置してなる。伸縮棒１１両端は抵承する抵止素子１１０、１１１を有し、伸縮棒１１の外管１１２上に小段間隔の環状スロット１１２０を有する。仕切り１２は四角隅にスリーブ座１２０を有し、直立した伸縮棒１１に定位する。本実施例中、仕切り１２は伸縮棒１１外管１２の上、中、下位置に設置され、中間に位置する仕切り１２は上端の仕切り１２の位置に近接し、底端はフック棒１４を有する。上フレーム１３は角辺に形成された四角座１３０により、伸縮棒１１の内管１１３上に設置され、四角座１３０と伸縮棒１１の内管１１３は適当な緊密度で結合する。
【０００８】
カバーユニット２０は上下裁断式でフレーム体１０に設置され、上カバー２１、上幕２２、下カバー２３、及び、下幕２４からなる。上カバー２１は前側と底端が開口辺を形成し、前側の開口周辺に両側と上端が内に折出する側辺カバー２１０と上辺カバー２１１を有し、上幕２２が開口辺の内縁を遮蔽する。上カバー２１の頂部２１２四角端は開孔２１２０を有し、上カバー２１内側の四角箇所に若干の紐２１３と面ファスナーループ２１４を有する。面ファスナーループ２１４は適当な長さの長方形で上カバー２１の下縁辺に固定される。上幕２２は上カバー２１前側の開口辺に対応して組成し、頂端は若干のフック帯２２０を有して、フレーム体１０の上フレーム１３の前横棒１３１上に組掛され、側辺上に若干の紐２２１を有し、対応する側辺上の直立伸縮棒１１と結固される。紐２２１の対辺内縁下方も面ファスナーループ２２２を有する。下カバー２３はフレーム体１０の下方位置を包覆し、前端両端は辺カバー２３０を有する開放辺で、且つ、下カバー２３が形成する四角辺内側上下位置に紐２３１を有し、下カバー２３と対応辺上の伸縮棒１１は結固される。また、四角辺の上端に面ファスナーフック２３２を有し、上カバー２１の相対位置の面ファスナーループ２１４が相互に粘合する。下幕２４は下カバー２３前側の開放辺と対応してなり、一側辺上にも若干の紐２４０を有して対応辺上の伸縮棒１１と結固する。また、紐２４０の対辺上端内縁は面ファスナーフック２４１を有し、上幕２２の相対位置の面ファスナーループ２２２と相互粘合する。
【０００９】
図３〜図５で示されるように、本考案のフレーム体１０は主に、四つの直立した伸縮棒１１内に若干の仕切り１２と上フレーム１３を設置してなり、且つ、伸縮棒１１は上下に頂承する定位効果を有するので、組み立て後のフレーム体１０が傾倒するのを防止し、且つ、異なる高度空間内で伸縮調節ができ、また、フレーム体１０上端の上フレーム１３は伸縮棒１１の内管１１３上に設置されて、フレーム体１０とカバーユニット２０の頂端を支承し、且つ、伸縮棒１１の内管１１３は適当な緊密度を有するので、伸縮棒１１の内管１１３により高度を変化させ、伸縮棒１１の内管１１３上で上フレーム１３の位置を単独調節することも勿論可能である。フレーム体１０の上フレーム１３の高度が変化する時、カバーユニット２０は、フレーム体１０の上フレーム１３の上カバー２１と上幕２２に設置し、即ち、下方の面ファスナーループ２１４、２２２と下カバー２３、及び、下幕２４の面ファスナーフック２３２、２４１を分離して伸縮調整し、位置に達したら再度粘合すればよい。
【００１０】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１１】
【図１】本考案の外観立体図である。
【図２】本考案の立体分解図である。
【図３】本考案の組み合わせ断面図である。
【図４】本考案の上下調節状態を示す図である。
【図５】本考案の実施例参考図である。
【符号の説明】
【００１２】
１０      フレーム体
１１      伸縮棒
１１０    上抵止素子
１１１    下抵止素子
１１２    外管
１１２０  スロット
１１３    内管
１２      仕切り
１２０    スリーブ座
１３      上フレーム
１３０    四角座
１３１    前横棒
１４      フック棒
２０      カバーユニット
２１      上カバー
２１０    側辺カバー
２１１    上辺カバー
２１２    カバーの頂部
２１２０  開孔
２１３    紐
２１４    面ファスナーループ
２２２    面ファスナーループ
２２      上幕
２２０    フック帯
２２１    紐
２３      下カバー
２３０    辺カバー
２３１    紐
２３２    面ファスナーフック
２４１    面ファスナーフック
２４      下幕
２４０    紐
【図１】
0003134228.tif 000003
【図２】
0003134228.tif 000004
【図３】
0003134228.tif 000005
【図４】
0003134228.tif 000006
【図５】
0003134228.tif 000007